(57)【要約】【課題】  証明証等のカードを発行する工程において、カードに記録する情報は、発行完了後も一定時間発行装置内に保持されており、情報の漏洩等のセキュリティ上の問題があった。【解決手段】  判定手段を用いて、記録されている画像情報と電子情報との対比による記録情報の正当性の判定を行い、正当と判定した記録情報に対応する記録用情報を記憶手段から削除する。【選択図】        図２
2005084856.tif 000002
【特許請求の範囲】
【請求項１】
確認情報を出力する証明証確認装置を用いて証明証に記録された記録情報の正当性を確認し、該証明証確認装置からの前記確認情報に基づいて、証明証発行装置内に格納されている記録用情報を削除することを特徴とする証明証用情報の管理方法。
【請求項２】
前記証明証確認装置は、証明証の券面に記録されている記録情報を読み取る画像読取手段、証明証に内蔵されている記憶媒体から記録情報を読み取る電子読取手段及び画像読取手段が読み取った記録情報と前記電子読取手段が読み取った記録情報とを対比し、記録情報の正当性を判定する判定手段を有することを特徴とする請求項１に記載の証明証用情報の管理方法。
【請求項３】
前記証明証確認装置は、前記電子読取手段が読み取った記録情報を表示する表示部及び記録情報が正当であるという情報を入力する操作部を有することを特徴とする請求項１又は請求項２に記載の証明証用情報の管理方法。
【請求項４】
証明証の券面に記録されている記録情報を読み取る画像読取手段、証明証に内蔵されている記憶媒体から記録情報を読み取る電子読取手段及び画像読取手段が読み取った記録情報と前記電子読取手段が読み取った記録情報とを対比し、記録情報の正当性を判定する判定手段を有することを特徴とする証明証確認装置。
【請求項５】
前記判定手段が、記録情報が正当であると判定した場合に、正当であることを示す情報を送信する第１通信手段を有することを特徴とする請求項４に記載の証明証確認装置。
【請求項６】
証明証の券面に記録されている記録情報を読み取る画像読取手段、証明証に内蔵されている記憶媒体から記録情報を読み取る電子読取手段、画像読取手段が読み取った記録情報と前記電子読取手段が読み取った記録情報とを対比し、記録情報の正当性を判定する判定手段及び第１通信手段を有する証明証確認装置並びに、
生カードに所定の情報を記録する記録部、記録用情報が格納される記憶部、前記第１通信手段から情報が正当に記録されたことを示す情報を受信し、受信した情報に基づいて、情報の記録が行われた証明証に関する記録用情報を前記記憶部から削除する情報管理手段を有する証明証発行装置、
を備えたことを特徴とする証明証発行システム。
【請求項７】
前記証明証確認装置は、証明証の券面に記録されている記録情報を読み取る画像読取手段、ホストコンピュータと通信を行う第２通信手段、該第２通信手段を介して前記ホストコンピュータから取得した記録用情報と画像読取手段が読み取った記録情報とを対比し、記録情報の正当性を判定する判定手段を有することを特徴とする請求項１に記載の証明証用情報の管理方法。
【請求項８】
前記証明証確認装置は、前記ホストコンピュータから取得した記録用情報を表示する表示手段及び記録情報が正当であるという情報を入力する操作部を有することを特徴とする請求項７に記載の証明証用情報の管理方法。
【請求項９】
券面に記録されている記録情報を読み取る画像読取手段、ホストコンピュータと通信を行う第２通信手段、該第２通信手段を介して前記ホストコンピュータから取得した記録用情報と画像読取手段が読み取った記録情報とを対比し、記録情報の正当性を判定する判定手段を有することを特徴とする証明証確認装置。
【請求項１０】
前記判定手段が、記録情報が正当であると判定した場合に、正当であることを示す情報を送信する第１通信手段を有することを特徴とする請求項９に記載の証明証確認装置。
【請求項１１】
券面に記録されている記録情報を読み取る画像読取手段、ホストコンピュータと通信を行う第２通信手段、該第２通信手段を介して前記ホストコンピュータから取得した記録用情報と画像読取手段が読み取った記録情報とを対比し、記録情報の正当性を判定する判定手段を有することを特徴とする証明証確認装置、
生カードに所定の情報を記録する記録部、記録用情報が格納される記憶部、第１通信手段から情報が正当に記録されたことを示す情報を受信し、受信した情報に基づいて、情報の記録が行われた証明証に関する前記記録用情報を前記記憶部から削除する情報管理手段を有する証明証発行装置、
を備えたことを特徴とする証明証発行システム。
【発明の詳細な説明】
【技術分野】
【０００１】
本発明は、ＩＤカード等の証明証に記録される情報の管理技術に関する。
【背景技術】
【０００２】
証明証には、一般に、氏名、登録番号、資格の種類、有効期限等が券面に形成されているとともに、多くの場合、所有者の顔写真が印刷されている。そして、このような画像として各種情報が記録されるとともに、ＩＣチップに同様の情報か記録されており、目視による確認とともに、機器を用いた確認が可能である。
【０００３】
ＩＤカードは、不正使用の防止、改ざんの防止、カードに記録されている情報の流出の防止等の観点から様々なセキュリティ手段により防護されている（例えば特許文献１〜３）。
【特許文献１】特開２０００−７６４１１号公報
【特許文献２】特開２０００−１４８９３９号公報
【特許文献３】特開２００１−１７５８２４号公報
【発明の開示】
【発明が解決しようとする課題】
【０００４】
前記特許文献も含めて、従来のセキュリティ対策は、発行されユーザに引き渡された証明証に関連したものであって、証明証の発行工程におけるセキュリティ対策に関しては、文献に発表されているものはきわめて少ない。
【０００５】
しかるに、証明証の発行工程におけるセキュリティは、発行後のセキュリティに劣らず重要であり、例えば、発行工程においては、証明証用のカードや記録すべき情報が１カ所に集中して蓄積されるために、これらが流出すると甚大な損害が生ずる可能性がある。
【０００６】
証明証に記録する情報の管理方法としては、証明証が再発行される場合があることを考慮して、証明証の発行後、ある一定期間発行装置の記憶部に止めておき、一定時間経過時に消去する方法が採られている。しかしながら、このような管理方法は、長期間発行装置内に機密情報が保持されていることになり、情報漏洩の可能性がある。また、例えば、数日分の情報を蓄積することが可能な大容量のメモリが必要になって、コスト上問題となる。
【０００７】
さらには、証明証を交付する際に、交付者と申請者（受取者）との間で目視による確認を行っていた。しかしながら、このような方法では、確認ミスが発生する可能性があった。
【０００８】
このような点に鑑み、本発明は、証明証の発行工程におけるセキュリティを向上することを目的とする。
【課題を解決するための手段】
【０００９】
前記の本発明の目的は、下記の発明により達成される。
【００１０】
１．
確認情報を出力する証明証確認装置を用いて証明証に記録された記録情報の正当性を確認し、該証明証確認装置からの前記確認情報に基づいて、証明証発行装置内に格納されている記録用情報を削除することを特徴とする証明証用情報の管理方法。
【００１１】
２．
前記証明証確認装置は、証明証の券面に記録されている記録情報を読み取る画像読取手段、証明証に内蔵されている記憶媒体から記録情報を読み取る電子読取手段及び画像読取手段が読み取った記録情報と前記電子読取手段が読み取った記録情報とを対比し、記録情報の正当性を判定する判定手段を有することを特徴とする前記１に記載の証明証用情報の管理方法。
【００１２】
３．
前記証明証確認装置は、前記電子読取手段が読み取った記録情報を表示する表示部及び記録情報が正当であるという情報を入力する操作部を有することを特徴とする前記１又は前記２に記載の証明証用情報の管理方法。
【００１３】
４．
証明証の券面に記録されている記録情報を読み取る画像読取手段、証明証に内蔵されている記憶媒体から記録情報を読み取る電子読取手段及び画像読取手段が読み取った記録情報と前記電子読取手段が読み取った記録情報とを対比し、記録情報の正当性を判定する判定手段を有することを特徴とする証明証確認装置。
【００１４】
５．
前記判定手段が、記録情報が正当であると判定した場合に、正当であることを示す情報を送信する第１通信手段を有することを特徴とする前記４に記載の証明証確認装置。
【００１５】
６．
証明証の券面に記録されている記録情報を読み取る画像読取手段、証明証に内蔵されている記憶媒体から記録情報を読み取る電子読取手段、画像読取手段が読み取った記録情報と前記電子読取手段が読み取った記録情報とを対比し、記録情報の正当性を判定する判定手段及び第１通信手段を有する証明証確認装置並びに、
生カードに所定の情報を記録する記録部、記録用情報が格納される記憶部、前記第１通信手段から情報が正当に記録されたことを示す情報を受信し、受信した情報に基づいて、情報の記録が行われた証明証に関する記録用情報を前記記憶部から削除する情報管理手段を有する証明証発行装置、
を備えたことを特徴とする証明証発行システム。
【００１６】
７．
前記証明証確認装置は、証明証の券面に記録されている記録情報を読み取る画像読取手段、ホストコンピュータと通信を行う第２通信手段、該第２通信手段を介して前記ホストコンピュータから取得した記録用情報と画像読取手段が読み取った記録情報とを対比し、記録情報の正当性を判定する判定手段を有することを特徴とする前記１に記載の証明証用情報の管理方法。
【００１７】
８．
前記証明証確認装置は、前記ホストコンピュータから取得した記録用情報を表示する表示手段及び記録情報が正当であるという情報を入力する操作部を有することを特徴とする前記７に記載の証明証用情報の管理方法。
【００１８】
９．
券面に記録されている記録情報を読み取る画像読取手段、ホストコンピュータと通信を行う第２通信手段、該第２通信手段を介して前記ホストコンピュータから取得した記録用情報と画像読取手段が読み取った記録情報とを対比し、記録情報の正当性を判定する判定手段を有することを特徴とする証明証確認装置。
【００１９】
１０．
前記判定手段が、記録情報が正当であると判定した場合に、正当であることを示す情報を送信する第１通信手段を有することを特徴とする前記９に記載の証明証確認装置。
【００２０】
１１．
券面に記録されている記録情報を読み取る画像読取手段、ホストコンピュータと通信を行う第２通信手段、該第２通信手段を介して前記ホストコンピュータから取得した記録用情報と画像読取手段が読み取った記録情報とを対比し、記録情報の正当性を判定する判定手段を有することを特徴とする証明証確認装置、
生カードに所定の情報を記録する記録部、記録用情報が格納される記憶部、第１通信手段から情報が正当に記録されたことを示す情報を受信し、受信した情報に基づいて、情報の記録が行われた証明証に関する前記記録用情報を前記記憶部から削除する情報管理手段を有する証明証発行装置、
を備えたことを特徴とする証明証発行システム。
【発明の効果】
【００２１】
請求項１〜１１のいずれかの発明により、カードが正常に作成されたことを正確、且つ迅速に判定することが出来るので、判定に基づいてカード作成に用いた情報を、作成後に速やかに発行装置から削除することが可能になり、セキュリティが向上する。
【００２２】
また、カード発行装置内に大量の情報を格納することがなくなるので、容量の大きなメモリを用いなくてもよい。さらには、カードが正常に作成された否かに関する人為的なミスの発生確率を引き下げることができる。
【発明を実施するための最良の形態】
【００２３】
図１は本発明の実施の形態に係る証明証発行システムのブロック図である。
【００２４】
該発行システムは、発行装置としての撮影・作成装置Ａ及び証明証確認装置Ｂからなり、ホストコンピュータＣに接続される。
【００２５】
撮影・作成装置Ａは、撮影部１、記録部を構成する画像記録部としての印刷部２、記録部を構成する電子記録部としてのリーダライタ３、記憶部４、通信部５及び制御部６を有する。
【００２６】
証明証の作成は、撮影・作成装置Ａにおいて行われる。すなわち、撮影部１において、申請者の顔写真を撮影し、記録用情報としての取得した画像情報を記憶部４に記憶する。
【００２７】
印刷部２及びリーダライタ３は、記憶部４に蓄積されたいる情報を読み出して、文字、写真等の画像情報や電子データからなる情報をカードに書き込む。
【００２８】
記憶部４には、撮影部１が生成した写真の画像情報及び通信部５を介してホストコンピュータＣから取得した記録用情報が蓄積されている。
【００２９】
記憶部４に記憶され、印刷部２及びリーダライタ３により書き込まれる記録用情報には、たとえば、申請者の氏名、年齢、生年月日、住所、有効期限、登録番号、資格の種類、顔写真データ等がある。
【００３０】
証明証確認装置Ｂは、画像読取手段としての画像読取部１０、電子読取手段としてのリーダライタ１１、通信手段としての通信部１２、判定手段としての確認部１３、表示部１４及び操作部１５を有する。
【００３１】
証明証確認装置Ｂにおいては、証明証の画像を画像読取部１０を読み取って、券面に記録されている記録情報を採取し、リーダライタ１１により証明証に内蔵されている記憶媒体であるＩＣメモリから記録情報としての電子情報を読み取り、確認部１３において、画像読取部１０が取得した記録情報とリーダライタ１１が取得した記録情報とを対比し、記録記録の正否を判定する。判定の結果、記録記録が正常である場合は、第１通信手段としての通信部１２から記録記録が正常である旨の情報が撮影・作成装置Ａに送られる。
【００３２】
正常を示す情報を受け取った撮影・作成装置Ａは、記憶部４から発行済みの証明証の情報を削除する。
【００３３】
図２は本発明の実施の形態に係る証明証用情報の管理方法の一例を示すフローチャートである。
【００３４】
証明証確認装置Ｂにおいて、画像読取部１０による証明証の券面に形成された画像情報の読取（Ｓ１）及びリーダライタ１１による証明証に内蔵されている記録媒体であるＩＣメモリの読取が行われる（Ｓ２）。
【００３５】
次に、読み取った記録情報としての画像情報と記録情報としての電子情報との対比が確認部１３において行われ（Ｓ３）、対比の結果、記録が正常であれば（Ｓ４のｙｅｓ）、記録記録が正常であることを示す信号が第１通信手段としての通信部１２を介して撮影・作成装置Ａに送信される。撮影・作成装置Ａでは、記憶部４から該当する情報、すなわち、確認済みの証明証に関連した記録用情報を削除する（Ｓ５）。正常記録の情報を受け取った場合に、制御部６が自動的に記録用情報の削除を行う構成としてもよいが、正常記録の表示を行い、オペレータが削除の操作を行う構成とすることもできる。
【００３６】
記録記録が正常でない場合には（Ｓ４のｎｏ）、正常でないという信号が撮影・作成装置Ａに送信され、撮影・作成装置Ａでは、記憶部４の別のフォルダに情報を再記憶させる（Ｓ６）。再記憶も削除の場合と同様に、制御部６による自動再記憶又はオペレータの操作による再記憶とすることができる。再記憶された情報は、再発行等に用いられる。
【００３７】
本発明においては、図２に示す方法に代えて次の方法で情報の管理をすることが可能である。
【００３８】
証明証確認装置Ｂにおいて、リーダライタ１１が読み取った記録情報を表示部１４に表示する。
【００３９】
オペレータは、カードの券面の画像を目視で観察し、表示部１４に表示された記録情報と対比し、記録記録の正否の判定を行い、記録情報の正否の情報を操作部１５から入力する。入力された記録記録の正否の情報は通信部１２介して撮影・作成装置Ａに送信される。
【００４０】
図３は証明証用情報の管理方法の他の例を示すフローチャートである。
【００４１】
証明証確認装置Ｂにおいて、画像読取部１０による証明証の券面に形成された画像情報の読取（Ｓ１０）及び記録情報をホストコンピュータＣに照会すること（Ｓ１１）が第２通信手段としての通信部１２を介して行われ、ホストコンピュータＣからは照会に係る記録用情報が証明証確認装置Ｂに供給される（Ｓ１２）。
【００４２】
次に、読み取った画像情報とホストコンピュータＣから取得した記録用情報との対比が確認部１３において行われ（Ｓ１３）、対比の結果、記録が正常であれば（Ｓ１４のｙｅｓ）、記録が正常であることを示す信号が通信部１２を介して撮影・作成装置Ａに送信される。
【００４３】
撮影・作成装置Ａでは、記憶部４から該当する記録用情報を削除する（Ｓ１５）。
【００４４】
記録が正常でない場合には（Ｓ１４のｎｏ）、正常でないという情報が撮影・作成装置Ａに送信され、撮影・作成装置Ａでは、記憶部４の別のフォルダに記録用情報を再記憶させる（Ｓ１６）。このように、再記憶された記録用情報は、再発行等に用いられる。
【００４５】
なお、図２の方法と図３の方法とを組み合わせて用いることもできる。すなわち、券面の画像情報と、ＩＣメモリから読み取った電子情報と、ホストコンピュータＣから取得した記録用情報との３者を対比し、証明証に記録されている記録情報の正当性を検査するという方法を用いてもよい。
【図面の簡単な説明】
【００４６】
【図１】本発明の実施の形態に係る証明証発行システムのブロック図である。
【図２】本発明の実施の形態に係る証明証用情報の管理方法の例のフローチャートである。
【図３】本発明の実施の形態に係る証明証用情報の管理方法の他の例のフローチャートである。
【符号の説明】
【００４７】
１  撮影部
２  印刷部
３、１１  リーダライタ
４  記憶部
５  通信部
６  制御部
７  表示部
８  操作部
１０  画像読取部
１２  通信部
１３  確認部
【図１】
2005084856.tif 000003
【図２】
2005084856.tif 000004
【図３】
2005084856.tif 000005